(57)【要約】      （修正有）【課題】流路用の制量の制御弁装置は、その駆動部には複数個の駆動手段があり、従来は、一個の制御弁装置に於てはその複数個の駆動手段のうち１個にしか適用し得ず、複数個の駆動手段の制御装置を一種類宛製作する必要があった。【解決手段】弁装置自体に複数個の弁体があって、その各々が独立又は連動して作動できる構成となし、弁体と弁体との連結は、目的とする制御に最適になるような組み合わせが任意にできるようにした構成であり、具体的には、例えば図２ａに図示のように、弁箱１に複数個の弁体２があり、該弁体２の夫々の弁棒３は、弁体２を作動させるために、駆動部材９，１０，１１又は連結リンク１２又は中間弁棒４に結合されているものであることを特徴とする制御弁装置であり、而して前記の制御弁装置に於て、弁体２と弁体２の各々の間に隔壁を設けたことを特徴とする制御弁装置である。【選択図】図２ａ
2005195161.tif 000002
【特許請求の範囲】
【請求項１】
弁箱（１）に複数個の弁体（２）があり、該弁体（２）の夫々の弁棒（３）は、弁体（２）を作動させるために、駆動部材（９，１０，１１）又は連絡リンク（１２）又は中間弁棒（４）に結合されているものであることを特徴とする制御弁装置
【請求項２】
前記請求項１の制御弁装置に於て、弁体（２）と弁体（２）の各々の間に隔壁を設けたことを特徴とする制御弁装置
【請求項３】
前記請求項１又は２の制御弁装置に於て、各弁体の駆動装置を手動式及び各種の自動式との組合せを可能としたことを特徴とする制御弁装置。
【請求項４】
前記請求項１又は２又は３の制御弁装置に於て、配管等に据え付けた後に、据え付け状態のままその場で各々の弁体（２）の連動か単独の作動かの変更が出来る着脱可能な継ぎ手を設けたことを特徴とする制御弁装置
【請求項５】
前記請求項１又は２又は３又は４の制御弁装置に於て、弁体（２）が２個以上の複数個に分けられた形のものとし、その各々の弁体（２）には夫々任意の駆動方式が採用できるようにすると共に隣接する弁体（２）（２）の間には仕切板（１３）（１４）を設けてその各弁体（２）と（２）は夫々別個の作動をすることを可能ならしめたことを特徴とする制御弁装置。
【発明の詳細な説明】
【技術分野】
【０００１】  本発明は、配管、タクト、容器等流体の流路に取り付く制御弁装置に関する。
【背景技術】
【０００２】  この種の制御弁装置は、之を作動させる駆動部は、手によるもの、空気圧力又は油圧によるもの、電気によるもの、風力、水力、重力等によるもの、及びバネによるもの等の７個の駆動手段があった。然し乍ら、一個の制御弁装置に於ては、その駆動部は前記の７個の駆動手段のうちの１個だけしか適用し得なかった。【０００３】  そのために、予め制御弁装置を製作しようとするメーカーは、前記の７個の駆動手段の制御弁装置を一種類宛製作せざるを得ない必要に迫られ、製作コストの増大化と云う問題点があった。又制御する範囲が有る範囲内だけに限られ全体の制御では大まか過ぎて微妙な制御が出来ない場合、さらに別個に制御弁を設ける必要があり、製作コストの増大化と云う問題点があった。又机上の計画での制御性能が時として実際の制御特性とは異なる場合は、設置した制御弁の変更又は新に設置する事となり、製作コストの増大化と云う問題点があった。
【発明の開示】
【発明が解決しようとする課題】
【０００４】  発明が解決しようとする課題は、この問題点の解決である。
【課題を解決するための手段】
【０００５】  本発明は、弁自体に複数個の弁体があって、その各々が独立又は連動して作動できる構成となし、弁体と弁体との連結は、目的とする制御に最適になるような組み合わせが任意にできるようにした構成であり、具体的には、例えば図２ａに図示のように、弁箱（１）に複数個の弁体（２）があり、該弁体（２）は、夫々弁棒（３）は弁体（２）を作動させるために、駆動部材（９，１０，１１）又は連結リンク（１２）又は中間弁棒（４）に結合されているものであることを特徴とする制御弁装置であり、而して前記の制御弁装置に於て、弁体（２）と弁体（２）の各々の間に隔壁を設けたことを特徴とする制御弁装置である。而して前記の制御弁装置に於て、各弁体の駆動装置を手動式及び各種の自動式との組合せを可能としたことを特徴とする制御弁装置である。而して前記の制御弁装置に於て、配管等に据え付けた後に、据え付け状態のままその場で各々の弁体（２）の連動か単独の作動かの変更が出来る着脱可能な継ぎ手を設けたことを特徴とする制御弁装置である。而して前記の制御弁装置に於て、弁体（２）が２個以上の複数個に分けられた形のものとし、その各々の弁体（２）には夫々任意の駆動方式が採用できるようにすると共に隣接する弁体（２）（２）の間には弁棒に平行な仕切板（１３）（１４）〔以後、弁体間仕切板と云う〕を設けてその各弁体（２）と（２）は夫々別個の制御性を有することを可能ならしめたことを特徴とする制御弁装置である。【０００６】  前記の「弁体（２）が２個以上の複数個に分けられた形のものとし」につき、念のため説明を次のように加える。
「図５に示された従来の一弁箱に１個の弁体と云う制御弁体装置（２０）を、例えば、図１ａに図示のように４個に分けられた形のものとし、隣接する弁体と弁体との間には水平方向の仕切板を設けた構成とする（実施例１）」ことを意味する。
【発明の効果】
【０００７】  従来は、前記７個の駆動手段の制御弁装置を一種類宛各別に製作せざるを得なかったのが、本発明により１個の制御弁装置で充分なこととなりコスト節減になると共に、１個の制御弁措置で広範囲な流量の変化に対応させ得て、据え付け後の設備の大幅な拡大にも対処できて、制御弁装置の追加は不要となり、この点でもコスト節減になる、と云う大きな効果がある。
【発明を実施するための最良の形態】
【０００８】  発明を実施するための最良の形態として、次の通り、実施例１，２，３，４を記述する。
【実施例１】
【０００９】  弁箱（１）内に弁棒（３）に対し直角な仕切板の無い単列の４個（４段）の弁体（２）（２）（２）（２）が設けられた構成のものである。図示のように、連続リンク（８）で連結している最上段と最下段の弁体（２）は手動式駆動部材（１６）により固定絞りを行って居り、第二段、第三段の弁体（２）は空動式自動制御駆動部材（７）にて、所定範囲内での絞りの細かな制御を行う。図示例では、連結リンク（８）は、最上段と最下段の弁体（２）と（２）を連結しているが、この連結のやり方を変えることは可能であり、斯くして柔軟な作動性が得られるのである。図１ａは正面図、図１ｂは左側面図、図１ｃは右側面図である。これに関連して「弁体の駆動状況及びリンク接続関係表」を〔表１〕として下記に示す【００１０】
【表１】
2005195161.tif 000003
【実施例２】
【００１１】  弁箱（１）内が上下方向の中央仕切板（１３）で左右に分けられた左右２列の１２個（６段）の弁体（２）（２）（２）（２）（２）（２）（２）（２）（２）（２）（２）（２）が設けられた構成のものである。図示のように、連結リンク（１２ａ）で連結されている右側第一段と第二段の弁体（２）と（２）は手動式駆動部材（９）により半開の状態の絞りとなって居り、連結リンク（１２ｂ）で連結されている左側第二段第三段第四段の弁体（２）（２）（２）は空動式自動制御駆動部材（１１ａ）にて駆動されるように連結されている。図中、（５）（６）は着脱可能のセットピンであって、中間弁体（４）をセットするものである。（１３）は弁箱中央仕切板、（１４）は弁棒に対し平行に弁体の間に取り付けられている弁体間水平仕切板、（１５）は駆動部材取付座体である。図示例では、右側の連続リンク（１２ａ）は右側最上段と第二段の弁体（２）と（２）を連結しているが、この連結のやり方を変えることは可能であり、斯くして柔軟な作動性が得られるのである。図２ａは一部切欠して内部を示した正面図、図２ｂは左側面図、２ｃは右側面図である。これに関連して「弁体の駆動状況及びリンク接続関係表」を〔表２−１〕〔表２−２〕として下記に示す。【００１２】
【表２−１】
2005195161.tif 000004
【表２−２】
2005195161.tif 000005
【実施例３】
【００１３】  実施例３は、前述の実施例２に於ける「弁箱（１）内の弁体（２）（２）（２）（２）（２）（２）（２）（２）（２）（２）（２）（２）の配置」は全く同一であって、右側のものは実施例２の右側のものと全く同一であるので説明を省略するが、左側は、実施例２のものとは駆動部の位置及び連結リンクを変えたものである。即ち、左側の最上段と第二段の弁体（２）と（２）が連結リンク（１２ａ）で連結され、第三段と第四段の弁体（２）と（２）が連結リンク（１２ｂ）で連結され、第五段と第六段の弁体（２）と（２）が連結リンク（１２ｃ）で連結され、而して左側の最上段と第二段の弁体（２）（２）は空動式駆動部材（１０）で駆動され（図示の状態は全開の状態）、第三段と第四段の弁体（２）（２）第六段の弁体（２）（２）は手動式駆動部材（９）で駆動され（図示の状態は半開の状態）、これらの弁体は各別に作動する。図３ａは一部切欠して内部を示した正面図、図３ｂは左側面図、図３ｃは右側面図である。これに関連して「弁体の駆動状況及びリンク接続関係表」を〔表３−１〕〔表３−２〕として下記に示す。【００１４】
【表３−１】
2005195161.tif 000006
【表３−２】
2005195161.tif 000007
【実施例４】
【００１５】  図４ａに示されたように、弁箱（１）内が上下方向の中央仕切板（１４）で左右に分けられた左右２列の２０個（１０段）の弁体（２）（２）（２）（２）（２）（２）（２）（２）（２）（２）（２）（２）（２）（２）（２）（２）（２）（２）（２）（２）が設けられたものである。駆動部材として、手動式駆動部材（９）、空動式駆動部材（１０）、空動式自動制御駆動部材（１１）、及び電動式自動制御部材（１２）が設けられて居り、一個の制御弁装置で種類の異なる方式を採ることに依り、各々の駆動部材の特性を生かした制御方法が可能である。
【図面の簡単な説明】
【図１ａ】実施例１の正面図
【図１ｂ】同上の左側面図
【図１ｃ】同上の右側面図
【図２ａ】実施例２の正面図
【図２ｂ】同上の左側面図
【図２ｃ】同上の右側面図
【図３ａ】実施例３の正面図
【図３ｂ】同上の左側面図
【図３ｃ】同上の右側面図
【図４ａ】実施例４の正面図
【図４ｂ】同上の左側面図
【図４ｃ】同上の右側面図
【図５】従来の単一駆動部を有する制御弁体の正面図
【符号の説明】
１    弁箱
２    弁体
２ａ  連結リンク
３    弁棒
４    中間弁棒
５    弁体セットピン
６    弁体セットピン
７    空動式自動制御駆動部材
８    連結リンク
９    手動式駆動部材
１０  空動式駆動部材
１１    空動式自動制御駆動部材
１２    電動式自動制御部材
１２ａ  連結リンク
１２ｂ  連結リンク
１３    弁箱中央仕切板
１４    弁体間水平仕切板
１５    駆動部材取り付け座体
１６    駆動部材
１９    弁体間仕切板
２０    従来の単一駆動部を有する制御弁体
【図１ａ】
2005195161.tif 000008
【図１ｂ】
2005195161.tif 000009
【図１ｃ】
2005195161.tif 000010
【図２ａ】
2005195161.tif 000011
【図２ｂ】
2005195161.tif 000012
【図２ｃ】
2005195161.tif 000013
【図３ａ】
2005195161.tif 000014
【図３ｂ】
2005195161.tif 000015
【図３ｃ】
2005195161.tif 000016
【図４ａ】
2005195161.tif 000017
【図４ｂ】
2005195161.tif 000018
【図４ｃ】
2005195161.tif 000019
【図５】
2005195161.tif 000020
【手続補正書】
【提出日】平成16年12月28日(2004.12.28)
【手続補正１】
【補正対象書類名】明細書
【補正対象項目名】０００７
【補正方法】変更
【補正の内容】
【０００７】  従来は、前記７個の駆動手段の制御弁装置を一種類宛各別に製作せざるを得なかったのが、本発明により１個の制御弁装置で充分なこととなりコスト節減になると共に、１個の制御弁装置で広範囲な流量の変化に対応させ得て、据え付け後の設備の大幅な拡大乃至は、大幅な制御の変化にも対処できて、制御弁装置の追加は不要となり、この点でもコスト節減になる、と云う大きな効果がある。
弁体（２）と弁体（２）の間に仕切を設けることにより細かに仕切られた各弁体（２）がそこを通過する流体を独立して制御が出来、その結果微少な範囲の制御が可能となる。従ってこれらの各弁体を組み合わせることにより大きな範囲の制御と細かな制御の両立が可能となり幅広い制御が可能となる、と云う大きな効果がある。
前項の制御を行う為に、各弁体（２）を単独又は連結して駆動出来る構造を設ける事により幅広い制御が可能となる、と云う大きな効果がある。